(57)【要約】      （修正有）【課題】薄型ソリッドステートディスク構造を提供する。【解決手段】底板１０両側の内側縁１１両端に内凸縁孔１１１を設け、底板が内凸縁孔に対応して下凸縁孔１０１を設け、内側縁の内凸縁孔上部に嵌合凸部１１２を設ける下ケース体１と、下ケース体に設けられ、その一端に接触端２２を設け、その両側に内凸縁孔に対応する凹部２１を設けるソリッドステートディスクボード２と、下ケース体外側に設けられ、その上面に上板３０を設け且つ周囲に外側縁３１を有し、外側縁が凸縁孔に対応して側孔３１１を設け、上板が嵌合凸部に対応して側孔と連なる上孔３１２を設け、一端の外側縁及び上板が端開口３２を設ける上ケース体３とを含む。この構造により、上下ケース体によりソリッドステートディスクボードをその間に結合し、下ケース体の内側縁を利用して高さを低減し、上ケース体の上孔の嵌合凸部に対応して嵌め込み、内凸縁孔を破壊されない構造強度にし、上下ケース体の結合の高さを減少できる。【選択図】図１
0003201396.tif 000002
【実用新案登録請求の範囲】
【請求項１】
底面に底板を設け、該底板一端に開口を設け、底板の周囲両側及び他端に底板と垂直な内側縁を囲うように設け、底板の両側の内側縁の両端に内凸縁孔を設け、底板は、内凸縁孔に対応して下凸縁孔を設け、内側複の内凸縁孔上部に突出する嵌合凸部を設ける下蓋体と、
下蓋体底板上面に設けられるソリッドステートディスクボードであり、該ソリッドステートディスクボード一端に接触端を設け、該接触端底部は、下ケース体の底板の開口に嵌合設置され、ソリッドステートディスクボード両側に下ケース体の内凸縁孔に対応する凹部を設けるソリッドステートディスクボードと、
下ケース体外側に被せ設けられ、その上面に上板を設け、該上板周囲且つ両側及び両端に上板と垂直な外側縁を囲うように設け、該外側縁は、下ケース体の内凸縁孔に対応して側孔を設け、上板は、下ケース体の内側縁の嵌合凸部に対応して側孔と連通する上孔を設け、外側縁及び上板一端にソリッドステートディスクボードの接触端に対応する端開口を設ける上ケース体と、
を含む薄型ソリッドステートディスク構造。
【請求項２】
前記上ケース体の外側縁の高さは、下ケース体の内側縁以下である請求項１に記載の薄型ソリッドステートディスク構造。
【請求項３】
前記下ケース体の内側縁の嵌合凸部は、内側縁の他かより高い請求項１に記載の薄型ソリッドステートディスク構造。
【考案の詳細な説明】
【技術分野】
【０００１】
本考案は、ソリッドステートディスク構造に関し、特に、上下ケース体をもってソリッドステートディスクボードをその間に結合し、下ケース体の内側縁を利用して高さを低減し、上ケース体の上孔に相対して嵌め込む嵌合凸部を組み合わせ、内凸縁孔を破壊されない構造強度にし、上下ケース体の結合の高さを減少させ、薄型に形成する薄型ソリッドステートディスク構造に関する。
【背景技術】
【０００２】
一般に周知のソリッドステートディスク構造は、上ケース体及び下ケース体が相互に被さり合い、ソリッドステートディスクボードをその内部に被覆し、従来品は、その上下ケース体の被さり合いは、その周縁に設ける側縁が重なり合う構造を利用し、その側縁の高さは、何れも等しい高さであり、上下ケース体が被さり合った後、上下ケース体の側縁の高さに自身の厚さが加わることにより、ソリッドステートディスクの体積及び高さを増加させ、現在の各種ソリッドステートディスクの使用を必要とする機器は、何れも軽薄であることが要求され、それは、ソリッドステートディスクの収容空間を相対的に制限させ、ソリッドステートディスクの上下ケース体が相互に被さり合い且つソリッドステートディスクと結合する場合、その高さは固定され、且つ薄く減少することができず、本考案者は、上下ケース体によりその間にソリッドステートディスクボードを結合し、下ケース体の内側縁を利用して高さを低減し、対応してケース体の上孔に嵌め込む嵌合凸部を組み合わせ、内凸縁孔を破壊されない構造強度にし、上下ケース体の結合の高さを減少させ、薄型に形成し、更に、空間を節約し、狭い空間に柔軟に安置し、その使用利便性及び柔軟性を有効に向上うる薄型ソリッドステートディスク構造を提供する。
【先行技術文献】
【特許文献】
【０００３】
【特許文献１】特開２０１５−１３５６５４号公報
【考案の概要】
【考案が解決しようとする課題】
【０００４】
本考案の目的は、上下ケース体をもってソリッドステートディスクボードをその間に結合し、下ケース体の内側縁を利用して高さを低減し、上ケース体の上孔に対応して嵌め込む嵌合凸部を組み合わせ、内凸縁孔を破壊されない構造強度にし、上下ケース体の結合の高さを減少させ、薄型にし、現有技術中の難点を克服する薄型ソリッドステートディスク構造を提供することにある。
【０００５】
本考案のもう１つの目的は、空間を節約し、狭い空間に柔軟に安置できる薄型ソリッドステートディスク構造を提供することにある。また、その使用利便性及び柔軟性を有効に向上する薄型ソリッドステートディスク構造を提供することにある。
【０００６】
本考案が解決しようとする問題は、従来のソリッドステートディスク構造が、上ケース体及び下ケースが相互に被さり合い、ソリッドステートディスクボードをその内部に覆うものであり、従来品の上下ケース体の被せ合わせは、その周縁に設ける側辺が互いに重なり合う構造を利用し、その側縁の高さは、何れも等しく、上下ケース体が被さり合った後に上下ケース体の側縁の高さが自身の厚さに加わり、ソリッドステートディスクの体積及び高さを増加させ、更に、現在の各種ソリッドステートディスクの使用を要する機器が何れも軽薄を要求し、該軽薄を要する機器がソリッドステートディスクの収容空間を相対して有限する時、ソリッドステートディスクの上下ケース体が相互に被さり合い、且つソリッドステートディスクと結合する場合、その高さが固定され、減少して薄くなることができず、従って、機器の狭い内部空間に安置することができず、機器の組み立て及びソリッドステートディスクの機器内部への組み込みに深刻な影響を及ぼし、ソリッドステートディスクが狭い空間内に柔軟に安置できず、機動性を備えず、別途機器を設計変更する必要があり、使用の不便を招き、実用性において、大きなマイナスとなることである。
【課題を解決するための手段】
【０００７】
問題を解決する技術手段が上記目的を達成する為、本考案が提供する薄型ソリッドステートディスク構造は、
その底面に底板を設け、該底板一端に開口を設け、底板の周囲両側及び他端に底板と垂直な内側縁を囲うように設け、底板の両側の内側縁の両端に内凸縁孔を設け、底板は、内凸縁孔に対応して下凸縁孔を設け、内側複の内凸縁孔上部に突出する嵌合凸部を設ける下蓋体と、
下蓋体底板上面に設けられるソリッドステートディスクボードであり、該ソリッドステートディスクボード一端に接触端を設け、該接触端底部は、下ケース体の底板の開口に嵌合設置され、ソリッドステートディスクボード両側に下ケース体の内凸縁孔に対応する凹部を設けるソリッドステートディスクボードと、
下ケース体外側に被せ設けられ、その上面に上板を設け、該上板周囲且つ両側及び両端に上板と垂直な外側縁を囲うように設け、該外側縁は、下ケース体の内凸縁孔に対応して側孔を設け、上板は、下ケース体の内側縁の嵌合凸部に対応して側孔と連通する上孔を設け、外側縁及び上板一端にソリッドステートディスクボードの接触端に対応する端開口を設ける上ケース体と、
を含む。
【０００８】
好ましくは、本考案の上ケース体の外側縁の高さは、下ケース体の内側縁以下である。
【０００９】
好ましくは、本考案の下ケース体の内側縁の嵌合凸部は、内側縁の他より高い。
【考案の効果】
【００１０】
先行技術に対する効果としては、この構造により、上下ケース体をもってソリッドステートディスクボードをその間に結合し、下ケース体の内側縁を利用して高さを低減し、上ケース体の上孔の嵌合凸部に対応して嵌め込み、内凸縁孔を破壊されない構造強度にし、上下ケース体の結合の高さを減少させて薄型にし、空間を節約し、狭い空間に柔軟に安置できるようにし、使用の利便性及び柔軟性を有効に向上させる。
【図面の簡単な説明】
【００１１】
【図１】本考案の立体分解図である。
【図２】本考案の立体組み合わせ図である。
【図３】本考案の組み合わせ断面図である。
【考案を実施するための形態】
【００１２】
図１、図２、図３を参照し、それは、本考案の立体分解図、本考案の立体組み合わせ図、本考案の組み合わせ断面図であり、本考案の薄型ソリッドステートディスク構造は、下ケース体１、ソリッドステートディスクボード２、上ケース体３を含む。
【００１３】
前記下ケース体１は、そこの底面に底板１０を設け、底板１０上に対称な少なくとも４つの固定柱１００を設け、底板１０の一端に開口１２を設け、底板１０の周囲両側及び他端に底板１０と垂直な内側縁１１を囲うように設け、底板１０両側の内側縁１１両端に内凸縁孔１１１を設け、底板１０は、内凸縁孔１１１に対応して更に下凸縁孔１０１を設け、本考案は、内側縁１１の高さを有効に低減し、その高さは、内凸縁孔１１１に近い高さに設けられ、内凸縁孔１１１を破壊しない強度構造のため、更に、該内側縁１１の内凸縁孔１１１上部に突出した嵌合凸部１１２を設け、即ち、該内凸縁孔１１１は、内側縁１１及び嵌合凸部１１２の空間内にちょうど設けられ、本実施例の該嵌合凸部１１２は、内側縁１１の高さより高く、固定させるために、該下ケース体１の両側の内側縁１１且つ隣接する内凸縁孔１１１に少なくとも１つの嵌合凸１３を設け、該嵌合凸１３は、本実施例での形状が三角形を呈し且つ底面にストッパとして平面を有する。
【００１４】
前記のソリッドステートディスクボード２は、下ケース体１の底板１０上面の固定柱１００上に設けられ、該ソリッドステートディスクボード２の一端は、接触端２２（即ち、俗称のゴールドフィンガー）を設け、該接触端２２底部は、下ケース体１の底板１０の開口１２を嵌合設置し、ソリッドステートディスクボード２の両側に下ケース体１の内凸縁孔１１１に対応する凹部２１を設け、本実施例の該ソリッドステートディスクボード２の凹部２１の形状は、半円弧形を呈するが、これに限定するものではなく、それは、長方形又は各種形状であることができ、何れも本考案の保護範囲に属する。
【００１５】
前記の上ケース体３は、下ケース体１外側に被せ設けられ、その上面に上板３０を設け、該上板３０周囲且つ両側及び両端に上板３０と垂直な外側縁３１を囲うように設け、該外側縁３１の下ケース体１に対応する内凸縁孔１１１に側孔３１１を設け、上板３０の下ケース体１の内側縁１１に対応する嵌合凸部１１２は、側孔３１１と連通する上孔３１２を設け、嵌合時に上ケース体３が上板３０の上孔３１２に設けられ、その高さが上板３０の厚さであり、下ケース体１の嵌合凸部１１２を含み、即ち、下ケース体１及びその嵌合凸部１１２の高さは、上ケース体３の上板３０の厚さに相当し、また、外側縁３１及び上板３０の一端にソリッドステートディスクボード２の接触端２２（即ち、俗称ゴールドフィンガー）に対応する端開口３２を設け、該接触端２２（ゴールドフィンガー）を露出接続させ、上ケース体３を下ケース体１と嵌合固定させるため、上ケース体３両側の外側縁３１且つ隣接する側孔３１１に下ケース体１の嵌合凸１３に対応する少なくとも１つの嵌合孔３３を設け、本実施例の該嵌合孔３の形状は、方形状を呈するが、これに限定するものではなく、長方形又は各種形状であることができ、何れも本考案の保護範囲に属し、本考案は、上ケース体３及び下ケース体１の結合後に薄くなり、その上ケース体３の外側縁３１の高さが下ケース体１の内側縁１１の高さ以下である。
【００１６】
本考案の組み立て時は、ソリッドステートディスクボード２を下ケース体１に設ける底板１０上に固定し、それが設ける固定柱１００上に固定し、ソリッドステートディスクボード２の両側に凹部２１を設け、従って、下ケース体１が内側縁１１に設ける内凸縁孔１１１に対応することができ、ソリッドステートディスクボード２の接触端２２（ゴールドフィンガー）下方と一端及び上方がそれぞれ下ケース体１の底板１０の開口１２及び上ケース体３の外側縁３１及び上板３０の端開口３２に嵌合設置され、上ケース体３の外側縁に設ける側孔３１１は、その下ケース体１の内側縁１１の内凸縁孔１１１に対応し、下ケース体１の内側縁１１且つ内凸縁孔１１１上面に設けられる嵌合凸部１１２は、上ケース体３の上板３０に位置する上孔３１２内に嵌め込まれ、全体の高さを下ケース体１の内側縁１１の高さに近づけ、更に、上ケース体３の外側縁３１に設けられる嵌合孔３３は、下ケース体１の内側縁１１に設けられる嵌合凸１３と嵌合固定される。本考案は、下ケース体１、ソリッドステートディスクボード２及び上ケース体３を分解したい時、反対歩行へ操作するだけで達成することができる。
【００１７】
この構造により、上下ケース体３，１をもってソリッドステートディスクボード２をその間に結合し、下ケース体１の内側縁１１を利用して高さを低減し、上ケース体２の上孔２１３の嵌合凸部１１２に対応して嵌め込み、内凸縁孔１１１を破壊されない構造強度にし、上下ケース体３，１の結合の高さを減少させて薄型にし、空間を節約し、狭い空間に柔軟に安置できるようにし、使用の利便性及び柔軟性を有効に向上させる。
【符号の説明】
【００１８】
１  下ケース体
１０  底板
１００  固定柱
１０１  下凸縁孔
１１  内側縁
１１１  内凸縁孔
１１２  嵌合凸部
１２  開口
１３  嵌合凸
２  ソリッドステートディスクボード
２１  凹部
２２  接触端
３  上ケース体
３０  上板
３１  外側縁
３１１  側孔
３１２  上孔
３２  端開口
３３  嵌合孔
【図１】
0003201396.tif 000003
【図２】
0003201396.tif 000004
【図３】
0003201396.tif 000005
【手続補正書】
【提出日】平成27年10月4日(2015.10.4)
【手続補正１】
【補正対象書類名】明細書
【補正対象項目名】０００７
【補正方法】変更
【補正の内容】
【０００７】
問題を解決する技術手段が上記目的を達成する為、本考案が提供する薄型ソリッドステートディスク構造は、
底面に底板を設け、該底板一端に開口を設け、底板の周囲両側及び他端に底板と垂直な内側縁を囲うように設け、底板の両側の内側縁の両端に内凸縁孔を設け、底板は、内凸縁孔に対応して下凸縁孔を設け、内側縁の内凸縁孔上部に突出する嵌合凸部を設ける下ケース体と、
下ケース体底板上面に設けられるソリッドステートディスクボードであり、該ソリッドステートディスクボード一端に接触端を設け、該接触端底部は、下ケース体の底板の開口に嵌合設置され、ソリッドステートディスクボード両側に下ケース体の内凸縁孔に対応する凹部を設けるソリッドステートディスクボードと、
下ケース体外側に被せ設けられ、その上面に上板を設け、該上板周囲且つ両側及び両端に上板と垂直な外側縁を囲うように設け、該外側縁は、下ケース体の内凸縁孔に対応して側孔を設け、上板は、下ケース体の内側縁の嵌合凸部に対応して側孔と連通する上孔を設け、外側縁及び上板一端にソリッドステートディスクボードの接触端に対応する端開口を設ける上ケース体と、
を含む。
【手続補正２】
【補正対象書類名】実用新案登録請求の範囲
【補正対象項目名】請求項１
【補正方法】変更
【補正の内容】
【請求項１】
底面に底板を設け、該底板一端に開口を設け、底板の周囲両側及び他端に底板と垂直な内側縁を囲うように設け、底板の両側の内側縁の両端に内凸縁孔を設け、底板は、内凸縁孔に対応して下凸縁孔を設け、内側縁の内凸縁孔上部に突出する嵌合凸部を設ける下ケース体と、
下ケース体底板上面に設けられるソリッドステートディスクボードであり、該ソリッドステートディスクボード一端に接触端を設け、該接触端底部は、下ケース体の底板の開口に嵌合設置され、ソリッドステートディスクボード両側に下ケース体の内凸縁孔に対応する凹部を設けるソリッドステートディスクボードと、
下ケース体外側に被せ設けられ、その上面に上板を設け、該上板周囲且つ両側及び両端に上板と垂直な外側縁を囲うように設け、該外側縁は、下ケース体の内凸縁孔に対応して側孔を設け、上板は、下ケース体の内側縁の嵌合凸部に対応して側孔と連通する上孔を設け、外側縁及び上板一端にソリッドステートディスクボードの接触端に対応する端開口を設ける上ケース体と、
を含む薄型ソリッドステートディスク構造。
【手続補正３】
【補正対象書類名】実用新案登録請求の範囲
【補正対象項目名】請求項３
【補正方法】変更
【補正の内容】
【請求項３】
前記下ケース体の内側縁の嵌合凸部は、内側縁の高さより高い請求項１に記載の薄型ソリッドステートディスク構造。